(57)【特許請求の範囲】
【請求項１】
表示画面上に校正画像を表示する表示部と、前記表示画面を介した筆記入力により前記校正画像の注釈情報を付与可能な筆記入力部とを有する情報処理装置であって、
筆記入力に供される複数の編集モードの中から編集モードを１つ指定する編集モード指定部と、
特定の筆記操作が実行された前記表示画面上での実行位置を取得する実行位置取得部と、
前記特定の筆記操作の実行時点において前記編集モード指定部により指定されていた編集モードに関する１つのモード画像に対して視覚効果を付与することで、前記実行位置取得部により取得された前記実行位置の周辺にて、前記モード画像を前記校正画像に重畳して一時的に表示させ、その後に非表示にさせる視覚効果付与部と
を有することを特徴とする情報処理装置。
【請求項２】
請求項１記載の情報処理装置において、
前記特定の筆記操作を検出する特定操作検出部をさらに有することを特徴とする情報処理装置。
【請求項３】
請求項２記載の情報処理装置において、
前記編集モードの指定に供されるアイコンが前記表示画面上に配置されている場合、
前記特定操作検出部は、前記表示画面のうち前記アイコンの配置領域を除く残余の領域に対し、前記特定の筆記操作の検出を有効にすることを特徴とする情報処理装置。
【請求項４】
請求項１〜３のいずれか１項に記載の情報処理装置において、
前記視覚効果付与部は、ユーザの利き手に応じて前記モード画像の表示位置を変更するように前記視覚効果を付与することを特徴とする情報処理装置。
【請求項５】
請求項１〜４のいずれか１項に記載の情報処理装置において、
前記特定の筆記操作は、シングルタップ、ダブルタップ及びロングタップのうちいずれか１つであることを特徴とする情報処理装置。
【請求項６】
請求項１〜５のいずれか１項に記載の情報処理装置において、
前記モード画像は、前記編集モードを指定するためのメニューの呼び出し機能を兼ね備えることを特徴とする情報処理装置。
【請求項７】
請求項１〜６のいずれか１項に記載の情報処理装置において、
前記モード画像は、前記編集モードに対応付けられたアイコンと同一の又は類似する画像であることを特徴とする情報処理装置。
【請求項８】
請求項１〜６のいずれか１項に記載の情報処理装置において、
前記モード画像は、前記編集モードに関する文字情報を含む画像であることを特徴とする情報処理装置。
【請求項９】
請求項１〜８のいずれか１項に記載の情報処理装置において、
前記視覚効果は、ポップアップ、スクロール、ズームイン、ズームアウト及びフェードアウトのうちいずれか１つであることを特徴とする情報処理装置。
【請求項１０】
表示画面上に校正画像を表示する表示部と、前記表示画面を介した筆記入力により前記校正画像の注釈情報を付与可能な筆記入力部とを有する装置を用いた情報処理方法であって、
筆記入力に供される複数の編集モードの中から編集モードを１つ指定するステップと、
特定の筆記操作が実行された前記表示画面上での実行位置を取得するステップと、
前記特定の筆記操作の実行時点において指定されていた編集モードに関する１つのモード画像に対して視覚効果を付与することで、取得された前記実行位置の周辺にて、前記モード画像を前記校正画像に重畳して一時的に表示させ、その後に非表示にさせるステップと
を備えることを特徴とする情報処理方法。
【請求項１１】
表示画面上に校正画像を表示する表示部と、前記表示画面を介した筆記入力により前記校正画像の注釈情報を付与可能な筆記入力部とを有する装置を、
筆記入力に供される複数の編集モードの中から編集モードを１つ指定する編集モード指定部、
特定の筆記操作が実行された前記表示画面上での実行位置を取得する実行位置取得部、
前記特定の筆記操作の実行時点において前記編集モード指定部により指定されていた編集モードに関する１つのモード画像に対して視覚効果を付与することで、前記実行位置取得部により取得された前記実行位置の周辺にて、前記モード画像を前記校正画像に重畳して一時的に表示させ、その後に非表示にさせる視覚効果付与部
として機能させることを特徴とするプログラム。
【発明の詳細な説明】
【技術分野】
【０００１】
この発明は、情報処理装置、情報処理方法及びプログラムに関する。
【背景技術】
【０００２】
近時、表示画面上に画像を表示する表示部と、この表示画面を介した筆記入力により画像の注釈情報を付与可能な筆記入力部とを有する情報処理装置が普及している。そして、操作性を向上させるためのユーザ・インターフェースに関する技術が種々提案されている。
【０００３】
特許文献１では、操作ウィンドウを、主ウィンドウの周辺位置に常時配置する表示方法が提案されている。これにより、操作中の視線の移動が少なくて済むので、操作性が向上する旨が記載されている。
【０００４】
特許文献２では、スタイラスペンのスイッチ部のオン操作に応じて、タッチの際、直前に操作した選択内容をタッチした領域に呼び出し表示する方法が提案されている。これにより、スタイラスペンの移動範囲を小さくすることが可能である旨が記載されている。
【先行技術文献】
【特許文献】
【０００５】
【特許文献１】特開２００３−２４８５４４号公報
【特許文献２】特開２００９−２５８６１号公報
【発明の概要】
【発明が解決しようとする課題】
【０００６】
ところで、Ｂ５〜Ａ４判サイズ相当の大面積の表示画面を備える情報処理装置を用いて、この表示画面の略全面に画像を表示させる場合、特許文献１及び２に開示された装置及び方法では、以下のような不都合が生じ得る。
【０００７】
ユーザは、画像の編集作業に集中する余り、現在指定されている編集モードを失念することがある。この場合、ユーザは、表示画面上に配置されたアイコンに視線を遣り、編集モードの種類を確認した上で編集作業を続行する。しかし、ユーザは、アイコンの位置を確認するために筆記箇所から目を一旦逸らすので、筆記箇所の位置を瞬時に想起できない場合や、位置を特定するために時間を要する場合がある。すなわち、ユーザは、直近の筆記箇所や、現在指定されている編集モードの種類を常に記憶しなければならず、筆記操作に専念できない不都合があった。
【０００８】
本発明は上記した問題を解決するためになされたもので、筆記箇所から目を一旦逸らすことなく、現在指定されている編集モードの種類を容易に確認可能な情報処理装置、情報処理方法及びプログラムを提供することを目的とする。
【課題を解決するための手段】
【０００９】
本発明に係る情報処理装置は、表示画面上に画像を表示する表示部と、前記表示画面を介した筆記入力により前記画像の注釈情報を付与可能な筆記入力部とを有する装置であって、筆記入力に供される複数の編集モードの中から編集モードを１つ指定する編集モード指定部と、特定の筆記操作が実行された前記表示画面上での実行位置を取得する実行位置取得部と、前記特定の筆記操作の実行時点において前記編集モード指定部により指定されていた編集モードに関するモード画像に対し、前記実行位置取得部により取得された前記実行位置の周辺に一時的に表示させる視覚効果を付与する視覚効果付与部とを有することを特徴とする。
【００１０】
このように、特定の筆記操作の実行時点において指定されていた編集モードに関するモード画像に対し、実行位置の周辺に一時的に表示させる視覚効果を付与する視覚効果付与部を設けたので、特定の筆記操作を実行することでモード画像の呼び出し表示が可能になる。これにより、ユーザは、筆記箇所から目を一旦逸らすことなく、現在指定されている編集モードの種類を容易に確認できる。しかも、実行位置の周辺に一時的にモード画像を表示させるので、編集作業の邪魔にならず便宜である。
【００１１】
また、前記特定の筆記操作を検出する特定操作検出部をさらに有することが好ましい。
【００１２】
さらに、前記編集モードの指定に供されるアイコンが前記表示画面上に配置されている場合、前記特定操作検出部は、前記表示画面のうち前記アイコンの配置領域を除く残余の領域に対し、前記特定の筆記操作の検出を有効にすることが好ましい。
【００１３】
さらに、前記視覚効果付与部は、ユーザの利き手に応じて前記モード画像の表示位置を変更するように前記視覚効果を付与することが好ましい。
【００１４】
さらに、前記特定の筆記操作は、シングルタップ、ダブルタップ及びロングタップのうちいずれか１つであることが好ましい。
【００１５】
さらに、前記モード画像は、前記編集モードを指定するためのメニューの呼び出し機能を兼ね備えることが好ましい。
【００１６】
さらに、前記モード画像は、前記編集モードに対応付けられたアイコンと同一の又は類似する画像であることが好ましい。
【００１７】
さらに、前記モード画像は、前記編集モードに関する文字情報を含む画像であることが好ましい。
【００１８】
さらに、前記画像の校正に用いられることが好ましい。
【００１９】
本発明に係る情報処理方法は、表示画面上に画像を表示する表示部と、前記表示画面を介した筆記入力により前記画像の注釈情報を付与可能な筆記入力部とを有する装置を用いた方法であって、筆記入力に供される複数の編集モードの中から編集モードを１つ指定するステップと、特定の筆記操作が実行された前記表示画面上での実行位置を取得するステップと、前記特定の筆記操作の実行時点において指定されていた編集モードに関するモード画像を、取得された前記実行位置の周辺に一時的に表示するステップとを備えることを特徴とする。
【００２０】
本発明に係るプログラムは、表示画面上に画像を表示する表示部と、前記表示画面を介した筆記入力により前記画像の注釈情報を付与可能な筆記入力部とを有する装置を、筆記入力に供される複数の編集モードの中から編集モードを１つ指定する編集モード指定部、特定の筆記操作が実行された前記表示画面上での実行位置を取得する実行位置取得部、前記特定の筆記操作の実行時点において前記編集モード指定部により指定されていた編集モードに関するモード画像に対し、前記実行位置取得部により取得された前記実行位置の周辺に一時的に表示させる視覚効果を付与する視覚効果付与部として機能させることを特徴とする。
【発明の効果】
【００２１】
本発明に係る情報処理装置、情報処理方法及びプログラムによれば、特定の筆記操作の実行時点において指定されていた編集モードに関するモード画像を、実行位置の周辺に一時的に表示させるようにしたので、特定の筆記操作を実行することでモード画像の呼び出し表示が可能になる。これにより、ユーザは、筆記箇所から目を一旦逸らすことなく、現在指定されている編集モードの種類を容易に確認できる。しかも、実行位置の周辺に一時的にモード画像を表示させるので、編集作業の邪魔にならず便宜である。
【図面の簡単な説明】
【００２２】
【図１】本実施の形態に係る情報処理装置の正面図である。
【図２】図１に示す情報処理装置の機能ブロック図である。
【図３】図１に示す情報処理装置の動作説明に供されるフローチャートである。
【図４】図４Ａ及び図４Ｂは、編集モードの想起表示の際の画面遷移を表す概略説明図である。
【図５】図５Ａ及び図５Ｂは、編集モードの想起表示の際の画面遷移を表す概略説明図である。
【図６】第１変形例に係る想起表示の概略説明図である。
【図７】第２変形例に係る想起表示の概略説明図である。
【発明を実施するための形態】
【００２３】
以下、本発明に係る情報処理方法について、これを実施する情報処理装置との関係において好適な実施形態を挙げ、添付の図面を参照して説明する。
【００２４】
図１は、本実施の形態に係る情報処理装置１０の正面図である。
【００２５】
情報処理装置１０は、概略矩形状の本体部１２と、本体部１２の一面に設けられ且つ該一面の略全体を占める面積を有する表示部１４と、表示部１４との接触部位（形状は、点、線、又は領域のいずれであってもよい。）を検出することで筆記入力する筆記入力部１５（図２参照）とを備えている。表示部１４の表示画面１６上には、校正画像１８（本図では、正面視の女性の顔画像）が表示されている。そして、表示画面１６の左下隅部には、校正画像１８に重畳して、アイコン２０が表示されている。このアイコン２０は、タッチの回数に応じて編集モードを切り替える第１アイコン２２と、筆記モード・消しゴムモードに切り替える第２アイコン２４と、校正作業の終了・設定の保存を指示する第３アイコン２６とから構成される。例えば、ユーザによる所定の操作、例えば、第１アイコン２２を所定の回数だけタッチすることで、注釈モードが選択される。また、第２アイコン２４を所定の回数だけタッチすることで、筆記モードが選択される。
【００２６】
ところで、情報処理装置１０は、種々の目的・用途で使用してもよい。特に、画像を校正する際には、校正画像１８を効率的に確認するため、表示画面１６全体を隈なく見渡すことがある。この場合、本発明に係る構成を採ることが一層効果的である。
【００２７】
この情報処理装置１０を用いて校正作業を行う場合、操作回数を極力減らしつつも校正画像１８全体が見渡せるように、表示部１４（表示画面１６）は、例えばＢ５〜Ａ４判サイズ相当の大面積を有することが望ましい。そして、迅速且つ効率的に作業するため、ユーザは、利き手（例えば、右手Ｒｈ）のみならず、両手（右手Ｒｈ及び左手Ｌｈ）を用いて作業する場合がある。すなわち、ユーザは、利き手である右手Ｒｈでタッチペン２８（スタイラスペン）を把持し、タッチペン２８の先端部２９で表示画面１６上をなぞって筆記入力する。一方、ユーザは、左手Ｌｈの指先３０でアイコン２０を適宜タッチし、筆記モード・消しゴムモード等の各種モードを切り替える。
【００２８】
図２は、図１に示す情報処理装置１０の機能ブロック図である。ＣＰＵ等からなる図示しない制御部は、ＲＯＭ、ＲＡＭ等の記録媒体（例えば、後述するデータ格納部４２）に格納されたプログラムを読み出し実行することで、これらの機能を実現可能である。
【００２９】
本体部１２は、外部装置からの電気信号を送受信する通信部３２と、通信部３２から受信された校正データ（校正画像１８を表す画像データ）に対して表示に適した各種信号処理を施す信号処理部３４と、信号処理部３４により信号処理された校正データから表示制御信号を生成し、表示部１４に画像（校正画像１８や注釈情報を含む。）を表示させる表示制御部３６と、筆記入力部１５からの筆記入力の特徴に基づいて筆記情報（各種モードの切り替え指示や、入力された注釈情報を含む。）を解釈する筆記情報解釈部３８と、筆記情報解釈部３８により解釈された筆記情報に応じた図形、記号、アイコン等の表示用画像を作成する画像作成部４０と、筆記情報解釈部３８により解釈された筆記情報等を格納するデータ格納部４２とを備える。
【００３０】
ここで、注釈情報には、文字、図形、記号、模様、色彩又はこれらを組み合わせた画像情報、ＡＳＣＩＩ等の文字コードを組み合わせたテキスト情報のみならず、音声情報、映像情報等が含まれる。
【００３１】
表示部１４は、表示制御部３６により生成された表示制御信号に基づいて画像（校正画像１８や注釈情報を含む。）を表示する。表示部１４は、カラー表示可能な表示モジュールであり、液晶パネル、有機ＥＬ（Electro-Luminescence）、無機ＥＬパネル等で構成されてもよい。
【００３２】
筆記入力部１５は、表示部１４を介して直接入力可能なタッチパネル検出器である。検出方式としては、抵抗膜方式、静電容量方式、赤外線方式、電磁誘導方式、静電結合方式等を含む種々の方式を用いてもよい。
【００３３】
信号処理部３４は、画像の拡縮処理、トリム処理、ＩＣＣプロファイルによるカラーマッチング処理、画像のエンコード処理・デコード処理等を含む信号処理を適宜行う。
【００３４】
筆記情報解釈部３８は、入力された注釈情報を解釈する機能の他、特定の筆記操作を検出する特定操作検出部４４と、特定の筆記操作が実行された表示画面１６上での位置（以下、実行位置という。）を取得する実行位置取得部４６と、ユーザの利き手に関する情報（以下、利き手情報という。）を入力する利き手情報入力部４８と、複数の編集モードの中から１つの編集モード（以下、指定モードという場合がある。）を指定する編集モード指定部５０とをさらに備える。
【００３５】
画像作成部４０は、筆記情報に応じた図形、記号、アイコン等の表示用画像を作成する機能の他、指定モードに関するモード画像６４（図４Ｂ参照）を作成するモード画像作成部５２と、モード画像作成部５２により作成されたモード画像６４に対して視覚効果を付与する視覚効果付与部５４とをさらに備える。
【００３６】
データ格納部４２は、ＲＡＭ等のメモリで構成されている。データ格納部４２は、本発明に係る情報処理方法に必要な各種データを格納する機能の他、注釈情報及びその一時データを格納する注釈情報格納部５６を備える。
【００３７】
本実施の形態に係る情報処理装置１０は以上のように構成される。続いて、情報処理装置１０の動作について、図３のフローチャート及び図２の機能ブロック図を主に参照しながら説明する。
【００３８】
先ず、利き手情報入力部４８は、ユーザの利き手情報を入力する（ステップＳ１）。具体的には、利き手情報入力部４８は、ユーザによるマニュアル操作、例えば、図示しない設定画面を介して、利き手情報を入力する。ここでは、「利き手は右手Ｒｈである」旨の利き手情報が入力されたとする。
【００３９】
なお、利き手情報入力部４８は、タッチ操作の傾向を考慮して、ユーザの利き手を検出可能に構成してもよい。例えば、筆記入力部１５は、指先３０と表示部１４との接触領域であって、所定時間を超えて継続してタッチ状態である領域を検出する。そして、利き手情報入力部４８は、接触領域に一層近い長辺（左長辺）の反対側である右側を利き手と判別する。
【００４０】
次いで、ユーザは、校正画像１８の編集作業を実施する（ステップＳ２）。編集作業の都度、注釈情報の付与方法に適した編集モードを適宜指定する。ユーザによるアイコン２０（特に、第１アイコン２２）のタッチ操作に応じて、編集モード指定部５０は、筆記入力に供される複数の編集モードの中から編集モードを１つ指定する。ここでは、アルファベットの「Ａ」が表記された第１アイコン２２（図１参照）が選択され、テキスト情報を入力可能な「テキスト入力モード」が指定されたとする。
【００４１】
なお、編集モードには、種々の形態で注釈情報を付与する入力モード、既に付与された注釈情報の書式を設定する書式モード、及び、既に付与された注釈情報の全部又は一部を削除する削除モード（消しゴムモード）のうち少なくとも１つが含まれる。入力モードの具体例として、上記したテキストの他、ペン字、矩形、円、線、マーク、音声等を入力する各モードが挙げられる。書式モードの具体例として、色（線、枠、塗り潰し等）、線の形状（実線、破線等）、補助符号（下線、枠線）を設定する各モードが挙げられる。
【００４２】
ところで、ユーザは、校正画像１８の編集作業に集中する余り、指定モードの種類を失念する場合がある。図４Ａに示すように、ユーザは、アイコン２０の配置位置（表示画面１６の左下隅部）に視線を遣ることなく、タッチペン２８の先端部２９周辺のいずれかの箇所（以下、実行位置６０という。）で、矢印Ｔ１の軌道に沿ったシングルタップ（特定の筆記操作）を実行する。
【００４３】
次いで、特定操作検出部４４は、特定の筆記操作が実行されたか否かを判別する（ステップＳ３）。ここで、特定の筆記操作には、上記したシングルタップの他、ダブルタップ、３回以上の連続タップ、ロングタップ等が含まれる。すなわち、筆記操作の誤検出を防止するため、編集作業中に一般的に実行され得る筆記操作とは異なり、且つ、互いに区別可能な操作であることが好ましい。
【００４４】
なお、ユーザの視野は、表示画面１６上の略中央部に常に存在するとは限らない。そこで、表示画面１６上の略全面において特定の筆記操作の検出を有効にすることが好ましい。具体的には、表示画面１６のうち、アイコン２０の配置領域を除く残余の領域（検出可能領域６２）内において、シングルタップの有無を検出してもよい。
【００４５】
実行されていないと判別された場合、上記した特定の筆記操作を受け付けるまでステップＳ２に留まる。一方、実行されたと判別された場合、次のステップ（Ｓ４）に進む。
【００４６】
次いで、実行位置取得部４６は、ステップＳ３で検出された特定の筆記操作の実行位置６０を取得する（ステップＳ４）。すなわち、実行位置取得部４６は、筆記入力部１５から、実行位置６０の二次元座標を取得する。
【００４７】
次いで、モード画像作成部５２は、ステップＳ２で指定された指定モードに関するモード画像６４を作成する（ステップＳ５）。具体的には、モード画像作成部５２は、編集モード指定部５０から、特定の筆記操作を検出した時点での指定モードの種類を取得する。図４Ａ例では、モード画像作成部５２は、「テキスト入力モード」である旨の情報を取得した後、テキスト入力モードに関するモード画像６４を作成する。なお、モード画像作成部５２は、本ステップの実行の都度にモード画像６４を作成してもよいし、データ格納部４２に予め格納されたモード画像６４のデータを読み出してもよい。
【００４８】
次いで、表示部１４は、モード画像６４の想起表示を開始する（ステップＳ６）。本明細書中における「想起表示」とは、現時点での指定モードの種類をユーザに想起させる目的で、この指定モードに関するモード画像６４を適時に表示することを意味する。画像作成部４０は、初期状態としてのモード画像６４を表示制御部３６に供給する。そして、表示制御部３６は、表示部１４にモード画像６４を表示させる。
【００４９】
図４Ｂに示すように、第１アイコン２２と同一の形態を有するモード画像６４は、校正画像１８に重畳して、実行位置６０の周辺に表示される。これにより、ユーザは、タッチペン２８の先端部２９から目を一旦逸らすことなく、モード画像６４を視認できる。すなわち、ユーザは、モード画像６４の形態から、現時点での指定モード（図４Ａ例では、テキスト入力モード）を観念・想起できる。特に、モード画像６４が、第１アイコン２２と同一の又は類似する画像である場合、編集モードの種類を容易に観念できるので一層好ましい。
【００５０】
なお、図４Ｂでは、実行位置６０の周辺を、実行位置６０を中心とする円領域（半径ｒ）として表記している。半径ｒは、０〜１００ｍｍの範囲であることが望ましく、１０〜５０ｍｍの範囲であることがさらに好ましい。
【００５１】
また、モード画像６４は、実行位置６０に対して利き手（右手Ｒｈ）の反対側（左側）に配置されるので、右手Ｒｈの陰に隠れることなく表示内容を視認できる。同様の理由から、モード画像６４は、実行位置６０の上方側又は下方側（換言すれば、利き手側を除くいずれかの側）に配置されてもよい。
【００５２】
次いで、画像作成部４０は、想起表示の開始時点から所定の時間が経過したか否かを判別する（ステップＳ７）。ここで、所定の時間は任意に設定してもよいが、ユーザにストレスを感じさせない程度（概ね０．５〜３秒間）が好ましい。
【００５３】
所定の時間が経過していないと判別された場合、本体部１２は、経過時間に応じてモード画像６４を変形・表示させる（ステップＳ８）。具体的には、画像作成部４０によるモード画像６４の変形処理と、表示制御部３６によるモード画像６４等の表示制御とを順次繰り返すことで実現される。
【００５４】
視覚効果付与部５４は、モード画像６４に対して視覚効果を付与する。ここで、視覚効果とは、画像の表示形態を経時的に変形させることで、視覚的に注意を喚起する効果全般をいう。視覚効果の一例として、ポップアップ、スクロール、ズームイン／アウト等が挙げられるが、これらに限定されない。以下、フェードアウト効果の一例について説明する。
【００５５】
図４Ｂに示すように、モード画像６４は、想起表示の開始時点から１秒間経過するまで継続して表示される。ここで、モード画像６４は、透過度がないか、あるいは極めて低い画像である。すなわち、モード画像６４が配置された部位に関し、ユーザは、「Ａ」なる表記を視認できるのみで、校正画像１８を視認できない。
【００５６】
図５Ａに示すように、モード画像６５は、想起表示の開始時点から１〜２秒の間、継続して表示される。ここで、モード画像６５は、モード画像６４と比べて高い透過度を有する画像である。すなわち、モード画像６５が配置された部位に関し、ユーザは、「Ａ」なる表記、及び校正画像１８の両方を視認できる。
【００５７】
図５Ｂに示すように、モード画像６６は、想起表示の開始時点から２秒を経過した後、非表示にされる。すなわち、モード画像６６が配置された部位に関し、ユーザは、校正画像１８を視認できるのみで、「Ａ」なる表記を視認できない。
【００５８】
このように、時間の経過に従って、モード画像６４の透過度を徐々に高くしつつ表示することで、モード画像６４の消滅（想起表示の終了）を演出できる。
【００５９】
一方、図３のステップＳ７に戻って、所定の時間が経過した場合、表示部１４は、モード画像６４〜６６の表示を終了する（ステップＳ９）。
【００６０】
なお、画像作成部４０は、時間の経過により判別するのではなく、別の筆記操作の有無によって判別してもよい。例えば、筆記情報解釈部３８によりタッチペン２８が表示画面１６から離れたと判別された場合、モード画像６４の想起表示を中止するように構成してもよい。ユーザは、モード画像６４の非表示のタイミングを自在に決定できるので好適である。
【００６１】
最後に、筆記情報解釈部３８は、編集作業の終了指示があったか否かを判別する（ステップＳ１０）。指示がなかったと判別された場合、ステップＳ２に戻って、ステップＳ２〜Ｓ９を繰り返す。一方、指示があったと判別された場合、本体部１２は、編集に関する動作を完了する。
【００６２】
以上のように、特定の筆記操作の実行時点において指定されていた編集モードに関するモード画像６４に対し、実行位置６０の周辺に一時的に表示させる視覚効果を付与する視覚効果付与部５４を設けたので、特定の筆記操作を実行することでモード画像６４の呼び出し表示が可能になる。これにより、ユーザは、筆記箇所から目を一旦逸らすことなく、現在指定されている編集モードの種類を容易に確認できる。しかも、実行位置６０の周辺に一時的にモード画像６４を表示させるので、編集作業の邪魔にならず便宜である。
【００６３】
続いて、本実施の形態に係る情報処理方法の変形例（第１、第２変形例）について、図６及び図７を参照しながら説明する。なお、変形例において本実施の形態と同一である構成要素には、同一の参照符号を付して詳細な説明を省略する。
【００６４】
第１変形例に係る情報処理方法において、モード画像７０の形態が、本実施の形態（図４Ｂのモード画像６４）と異なる。
【００６５】
図６に示すように、表示画面１６上の実行位置６０の周辺には、「テキスト」なる文字が表記されたモード画像７０が配置されている。このように、編集モードに関する文字情報を含むモード画像７０を一時的に表示するように構成しても本実施の形態と同様の作用効果が得られる。すなわち、モード画像の形態は、ユーザが、編集モードの種類（属性）を直接的に又は間接的に観念可能な画像であれば、種類の別は問わない。
【００６６】
第２変形例に係る情報処理方法において、想起表示に供されるモード画像７２に新たな機能を持たせた点が、本実施の形態（図４Ｂのモード画像６４）と異なる。例えば、図４Ｂに示すモード画像６４が表示されている間に、タッチペン２８を用いて、モード画像６４の箇所で、矢印Ｔ２の軌道に沿ったタッチを実行すると、表示画面１６が次のように遷移される。
【００６７】
図７に示すように、モード画像７２が非表示になるとともに、モード画像７２の左方部周辺には、矩形状の筆記メニュー７４が表示される。筆記メニュー７４には、複数（本図例では６つ）の編集モードを表すアイコン群が配置されている。これにより、筆記メニュー７４を介して、編集モードを択一的に指定可能である。
【００６８】
このように、モード画像６４（図４Ｂ参照）の表示をトリガとして、筆記メニュー７４を呼び出し可能に設けてもよい。すなわち、モード画像６４は、編集モードを指定するための筆記メニュー７４の呼び出し機能をも兼ね備えるので、ユーザは、目を一旦逸らすことなく編集モードを適宜変更可能であり、更に便宜である。
【００６９】
なお、この発明は、上述した実施形態に限定されるものではなく、この発明の主旨を逸脱しない範囲で自由に変更できることは勿論である。
【符号の説明】
【００７０】
１０…情報処理装置                        １２…本体部
１４…表示部                              １５…筆記入力部
１６…表示画面                            １８…校正画像
２０…アイコン                            ２８…タッチペン
３０…指先                                ３６…表示制御部
３８…筆記情報解釈部                      ４０…画像作成部
４２…データ格納部                        ４４…特定操作検出部
４６…実行位置取得部                      ４８…利き手情報入力部
５０…編集モード指定部                    ５２…モード画像作成部
５４…視覚効果付与部                      ６０…実行位置
６２…検出可能領域                        ６４〜６６、７０、７２…モード画像
７４…筆記メニュー
【図１】
0005325943.tif 000002
【図２】
0005325943.tif 000003
【図３】
0005325943.tif 000004
【図４】
0005325943.tif 000005
【図５】
0005325943.tif 000006
【図６】
0005325943.tif 000007
【図７】
0005325943.tif 000008